(57)【要約】【課題】展示パネルの枠体を利用することにより、様々なアタッチメントを自在な場所に自由に取り付けることができて利便性の高い展示パネルを提供する。【解決手段】矩形の枠体２０内に展示シート４１を収容して展示可能な展示パネル１０であって、枠体２０は、一対の縦枠１１および一対の横枠２１が枠体２０の四隅部においてコーナー部材３０により連結されてなるとともに、縦枠１１および横枠２１は、共に同一外径の円柱状部１２，２２と、その円柱状部１１，２２に一体に形成され枠体２０の内周側において円柱状部１２，２２の外径よりも狭い対向間隔で対向しつつ軸方向に延びて展示シート１０を支持パネル４０及び保護シート４２によって挟んだ状態で保持する一対の保持片部１３，２３とを備え、コーナー部材３０は、これに隣接する縦枠１１及び横枠２１のうち少なくとも一方に対して着脱可能とされている。【選択図】図２
2011221049.tif 000002
【特許請求の範囲】
【請求項１】
矩形の枠体内に展示シートを収容して展示可能な展示パネルであって、
前記枠体は、一対の縦枠および一対の横枠が前記枠体の四隅部においてコーナー部材により連結されてなるとともに、前記縦枠および横枠は、共に同一外径の円柱状部と、その円柱状部に一体に形成され前記枠体の内周側において前記円柱状部の外径よりも狭い対向間隔で対向しつつ軸方向に延びて前記展示シートを支持パネル及び保護シートによって挟んだ状態で保持する一対の保持片部とを備え、
前記コーナー部材は、これに隣接する前記縦枠及び横枠のうち少なくとも一方に対して着脱可能とされていることを特徴とする展示パネル。
【請求項２】
前記縦枠及び前記横枠は、共に押し出し成形によって形成して所要の寸法となるように切断して形成したものであることを特徴とする請求項１記載の展示パネル。
【請求項３】
前記縦枠又は横枠は、前記円柱状部の端部内に雄ねじを螺合可能なネジ螺合部を一体に有すると共に、前記コーナー部材には、前記ネジ螺合部に対応する位置にネジ挿通孔が形成されており、前記コーナー部材は前記ネジ挿通孔に貫通させたネジを前記ネジ螺合部に螺合することにより前記縦枠あるいは前記横枠に着脱可能に取り付けられていることを特徴とする請求項１または請求項２に記載の展示パネル。
【請求項４】
前記枠体の四辺のうちの一辺を構成する前記縦枠又は前記横枠の両端部にはコーナー部材が取り付けられてＩ型枠体が構成され、このＩ型枠体が他の三辺を構成する前記縦枠又は前記横枠からなるコ字型枠体に対して着脱可能に取り付けられており、前記Ｉ型枠体の両端に取り付けられたコーナー部材及び前記コ字型枠体の両端部に取り付けられたコーナー部材のうちの一方には永久磁石が埋め込まれ、他方にはこの永久磁石に吸引されて前記Ｉ型枠体を前記コ字型枠体に連結状態とする磁性体が設けられていることを特徴とする請求項１ないし請求項３のいずれか一項に記載の展示パネル。
【発明の詳細な説明】
【技術分野】
【０００１】
本発明は、シート状の展示物を収容して展示する展示パネルに関する。
【背景技術】
【０００２】
例えば店頭に展示する広告やポスター等を掲示する展示パネルとして下記の特許文献に記載のものがある。これは、角型のアルミフレームの枠内に、支持パネル、ポスター等の展示シート、透明な保護シートを重ね合わせて収容する構成である。
【０００３】
この種の展示パネルにおいては、必ずしも展示パネル単体で使用されるに限らず、例えば展示パネルに照明用のライトを付設したり、補助的なメッセージカードやポスター等を併せて掲示したりする使用形態もあり得る。
【０００４】
このような、いわゆるアタッチメントを取り付ける場合、従来の展示パネルでは、それぞれのアルミフレームの外形寸法に適合する特別形状の取付具を製作したり、アルミフレーム自体に特別仕様のアタッチメントをビス止めして使用することが一般的であった。
【０００５】
ところが、上記構成では、各展示パネル毎の特別仕様のアタッチメントを準備する必要があり、また取付位置を変更しようとすれば、アルミフレームへの固定用のビス孔を再形成する必要があり、種々のアタッチメントの展開仕様に制約があるという問題があった。
【先行技術文献】
【特許文献】
【０００６】
【特許文献１】特開２００１−３２４９３３号公報
【発明の概要】
【発明が解決しようとする課題】
【０００７】
本発明は上記のような事情に基づいて完成されたものであって、展示パネルの枠体を利用することにより、様々なアタッチメントを自在な場所に自由に取り付けることができて利便性の高い展示パネルを提供することを目的とする。
【課題を解決するための手段】
【０００８】
上記課題を解決するためになされた本願発明は、矩形の枠体内に展示シートを収容して展示可能な展示パネルであって、前記枠体は、一対の縦枠および一対の横枠が前記枠体の四隅部においてコーナー部材により連結されてなるとともに、前記縦枠および横枠は、共に同一外径の円柱状部と、その円柱状部に一体に形成され前記枠体の内周側において前記円柱状部の外径よりも狭い対向間隔で対向しつつ軸方向に延びて前記展示シートを支持パネル及び保護シートによって挟んだ状態で保持する一対の保持片部とを備え、前記コーナー部材は、これに隣接する前記縦枠及び横枠のうち少なくとも一方に対して着脱可能とされているところに特徴を有する。
【０００９】
前記縦枠及び前記横枠は、共に押し出し成形によって形成して所要の寸法となるように切断して形成することができる。
【００１０】
また、前記縦枠又は横枠は、前記円柱状部の端部内に雄ねじを螺合可能なネジ螺合部を一体に有すると共に、前記コーナー部材には、前記ネジ螺合部に対応する位置にネジ挿通孔が形成されており、前記コーナー部材は前記ネジ挿通孔に貫通させたネジを前記ネジ螺合部に螺合することにより前記縦枠あるいは前記横枠に着脱可能に取り付けられるようにしてもよい。
【００１１】
さらに、前記枠体の四辺のうちの一辺を構成する前記縦枠又は前記横枠の両端部にはコーナー部材が取り付けられてＩ型枠体が構成され、このＩ型枠体が他の三辺を構成する前記縦枠又は前記横枠からなるコ字型枠体に対して着脱可能に取り付けられており、前記Ｉ型枠体の両端部に取り付けられたコーナー部材及び前記コ字型枠体の両端部に取り付けられたコーナー部材のうちの一方には永久磁石が埋め込まれ、他方にはこの永久磁石に吸引されて前記Ｉ型枠体を前記コ字型枠体に連結状態とする磁性体が設けられるようにしてもよい。
【発明の効果】
【００１２】
上記した本発明の展示パネルの枠体は、同一外形の円柱状部を含んで構成されていることにより、以下のような利点を有する。すなわち、円柱状部の外径に合致させた内径を有する断面がＣ型をなす取付部材を準備すれば、その取付部材を枠体にワンタッチで取り付けることができる。また、取付部材は円柱状部に嵌合させたまま自由な箇所に簡単にスライドさせることができるから、取付位置の変更が自由である。このため、例えば、共通のＣ型断面を有する取付部材を備えた鰐口タイプのクリップをはじめ、吸盤、マグネット、紐引っ掛け用のフック、あるいはライト等をアタッチメントとして準備しておけば、必要に応じて所望のアタッチメントを枠体の所望の箇所に取り付けて利用することができる。また、上記形状の一対の取付部材を連結した構造の連結用アタッチメントを準備しておけば、複数の展示パネルを自由に連結することができる。
【図面の簡単な説明】
【００１３】
【図１】本発明の実施形態１の展示パネルの一使用形態を示す斜視図
【図２】同じく展示パネルの分解斜視図
【図３】同じく横枠およびコーナー部材の斜視図
【図４】同じく横枠およびコーナー部材の一部拡大斜視図
【図５】同じく横枠およびコーナー部材の連結状態の縦断面図
【図６】同じく縦枠およびコーナー部材の一部拡大斜視図
【図７】同じく枠体の連結部分の一部拡大横断面図
【図８】同じく縦枠およびコーナー部材の連結状態の一部拡大縦断面図
【図９】同じく展示パネルの組立過程の斜視図
【図１０】同じく吸盤アタッチメントの斜視図
【図１１】同じく連結アタッチメントの斜視図
【図１２】同じく連結アタッチメントにより枠体を連結した状態の一部拡大縦断面図
【図１３】同じく吸盤アタッチメントにより枠体を平滑面に取り付けた状態の縦断面図
【図１４】本発明の実施形態２の展示パネルの一部分解状態の斜視図
【図１５】同じく縦枠およびコーナー部材の一部拡大斜視図
【図１６】同じく枠体の連結部分の拡大横断面図
【図１７】同じく縦枠およびコーナー部材の連結状態の一部拡大縦断面図
【図１８】ペーパークリップアタッチメントの斜視図
【図１９】ペーパークリップアタッチメントを枠体に取り付けた状態の断面図
【図２０】吊り下げフックアタッチメントの斜視図
【図２１】吊り下げフックアタッチメントを枠体に取り付けた状態の断面図
【図２２】マグネットアタッチメントの斜視図
【図２３】マグネットアタッチメントにより枠体を磁性体に取り付けた状態の縦断面図
【発明を実施するための形態】
【００１４】
＜実施形態１＞
本発明の実施形態１を図１ないし図１３によって説明する。
図１は本実施形態の展示パネルの一使用形態を示す斜視図、図２は展示パネルの分解斜視図である。この展示パネル１０は、一対の縦枠１１、１１と、一対の横枠２１、２１と、これらの縦枠１１および横枠２１を矩形状に連結する４つのコーナー部材３０とを備え、これらが連結されることにより形成された枠体２０内に、支持パネル４０と、ポスター４１（本発明の展示シートに相当）と、透明な保護シート４２とが順に重ねられた状態ではめ込まれている。
【００１５】
上記縦枠１１および横枠２１は、例えば図３の横枠２１の斜視図に示すように、長尺の円柱状部２１の外面に、円柱状部２１の外径よりも狭い対向間隔で対向しつつ軸方向に延びる一対の保持片部２３，２３を枠体２０の内周側に向けて立設してなり、この保持片部２３により、上記した支持パネル４０、ポスター４１、および保護シート４２の周縁部を一括に保持可能としている。さらに円柱状部２１の内周には、図４に示すように、後述する雄ネジ４５と螺合可能な一対の断面略Ｔ形状のネジ螺合部２４，２４が内側へ向けて互いに向き合うように設けられている。これらの縦枠１１および横枠２１は合成樹脂、例えばＡＢＳ樹脂からなり、押し出し成形により形成されている。
【００１６】
これらの縦枠１１および横枠２１の両端部には、コーナー部材３０が連結される。コーナー部材３０は縦枠１１および横枠２１を９０°の角度で連結して枠体２０の角部を形成するものであり、上述した縦枠１１および横枠２１の円柱状部１２，２２の端縁部に連結される部位は、図４に示すように、縦枠１１および横枠２１と同一外径の円柱状のコーナー部材本体３１とされているとともに、縦枠１１および横枠２１の一対の保持片部１３，１３または２３，２３の端縁部につながる部位は、同一高さの保持片部３２とされている。また、図４中右側の枠体２０を横枠２１として説明すると、コーナー部材本体３１のうち横枠２１の一端と向き合う部分には、横枠２１の円柱状部２２の内周壁に沿う外径を有する第１の嵌合筒３３が延設されている。この第１の嵌合筒３３には、横枠２１の円柱状部２２内の一対のネジ螺合部２４，２４の間に挿入されてコーナー部材３０を横枠２１に対して正規姿勢に案内する案内壁３４が第１の嵌合筒３３内を横切るように軸方向に沿って設けられているとともに、横枠２１の円柱状部２２内の一対のネジ螺合部２４，２４の基部２４Ａを逃がすための一対の逃がし溝３５，３５が、軸方向に沿って形成されている。図５は、横枠２１とコーナー部材３０とを連結した場合の横枠２１の断面図である。
【００１７】
一方、コーナー部材３０のうち縦枠１１の一端と向き合う部分には、図６に示すように、縦枠１１の円柱状部１２の内周壁に沿う外径を有する前記第１の嵌合筒３３よりは短い第２の嵌合筒３６が延設されているとともに、縦枠１１の円柱状部１２内の一対のネジ螺合部１４，１４の基部１４Ａを逃がすための一対の逃がし溝３７，３７が、軸方向に沿って形成されている。この逃がし溝３７とネジ螺合部１４の基部１４Ａとの相対的な嵌合により、コーナー部材３０は縦枠１１に対して正規姿勢に案内される。また、図４に示すように、コーナー部材本体３１には、縦枠１１の一対のネジ螺合部１４，１４間につながるネジ挿通孔３８が形成されており、このネジ挿通孔３８内からネジ４５を縦枠１１内の一対のネジ螺合部１４，１４の間にねじ込むことにより、コーナー部材３０と縦枠１１とが一体に連結される。なお、ネジ挿通孔３８内にはネジ４５の皿ネジ形の頭部４５Ａを受けるテーパ面３９が設けられている（図７および図８参照）。
【００１８】
次に、本実施形態の展示パネル１０の使用方法を説明する。上述した本実施形態の展示パネル１０を組み立てる場合には、まずコーナー部材３０の第１の嵌合筒３３を一方の横枠２１の円柱状部２２内に両端側から嵌合させ、固定する。そして、ネジ挿通孔３８内にネジ４５を挿通させて一対の縦枠１１の円柱状部１２内のネジ螺合部１４，１４に螺合させることにより、図２に示すようなコ字型枠体２０Ａを形成する。また、他方の横枠２１の円柱状部２２内にコーナー部材３０の第１の嵌合筒３３を両端側から嵌合させて固定することにより、Ｉ型枠体２０Ｂを形成する。そして、コ字型枠体２０Ａの内周側の保持片部２３，２３に、支持パネルと４０ポスター４１と保護シート４２とを順に重ね合わせた状態でスライドさせるように収容して一括に狭持させた後（図９参照）、Ｉ型枠体２０Ｂの両コーナー部材３０，３０を一対の縦枠１１，１１にネジ４５により固定し、矩形の展示パネル１０を完成させる。
【００１９】
図１は、上記展示パネル１０を２枚連結させて、ガラス板等の平滑面４８に設置した形態を示すものである。５０は展示パネル１０用の吸盤アタッチメントで、図１０に示すように、一般的に使用されている合成樹脂製の吸盤５１に、本発明の展示パネル１０の枠体２０に着脱可能な取付部材５２を連結させたものである。取付部材５２は、縦枠１１及び横枠２１の円柱状部１２，２２の外径寸法とほぼ同一の内径寸法を有して一側部を軸方向に沿って開口させることで断面Ｃ形にした円筒状をなし、連結軸５３の先端に球状端部５４を有し、その球状端部５４を吸盤５１側に設けた球面軸受け部５５で保持することにより、吸盤５１に対して角度調整可能に連結されている。
【００２０】
一方、図１１は展示パネル１０用の連結アタッチメント５６を拡大して示す。この連結アタッチメント５６は、上述の形状の取付部材５２を２個が各開口部５２Ａを互いに反対側に向けて背中合わせとなるように連結壁５７によって連結した構造で、合成樹脂によって製造されている。従って、各取付部材５２は枠体２０の各円柱状部１２，２２に嵌合させることができる。
【００２１】
２枚の展示パネル１０は、図１に示すように、一方の展示パネル１０の下側の横枠２１と、他方の展示パネル１０の上側の横枠２１とが、２つの連結アタッチメント５６で連結されている（図１２参照）とともに、一方の展示パネル１０の上側の横枠２１と、他方の展示パネル１０の下側の横枠２１のそれぞれに、吸盤アタッチメント５０が一対ずつ取り付けられ、４つの吸盤５１をガラス面４８に吸着させることにより、ガラス面４８に固定される（図１３参照）。
【００２２】
このような本実施形態の展示パネル１０によれば、枠体２０が同一外形の円柱状部１２，２２から構成されているから、その円柱状部１２，２２の外径寸法に適合したＣ型の取付部材５２を枠体２０のどの箇所にでも簡単にかつ自在に取り付けることが可能である。従って、複数の展示パネル１０を連結アタッチメント５６で連結し、上下位置の展示パネル１０を吸盤アタッチメント５０によりガラス等の平滑な面に吸着させるだけで固定させることができる等、作業を簡単に行うことができ、また、使用形態の自由度も高い。
【００２３】
＜実施形態２＞
本発明の実施形態２を図１４ないし図１７によって説明する。
図１４は本実施形態の展示パネル６０の斜視図であり、上記実施形態１の展示パネル１０とは、コーナー部材の構成が相違している。本実施形態のコーナー部材７０のうち、横枠２１との連結部分は、上記第１実施形態と同等であるので説明を省略する。
【００２４】
Ｉ型枠体２０Ｂの両端に位置するコーナー部材７０のうち、コ字型枠体２０Ａの縦枠１１の一端と向き合う部分には、図１５に示すように、コーナー部材本体７１内に、コーナー部材本体７１の内径と同等の外径を有する円柱状の永久磁石８０が接着剤により固定されている。また、縦枠１１の円柱状部１２のネジ螺合部１４，１４には、鋼製のネジ８１（本発明の磁性体に相当）が嵌め込まれており、コーナー部材７０と縦枠１１とが連結された際にネジ８１の頭部８１Ａが永久磁石８０と丁度接する高さとなるように調節されている（図１６および図１７参照）。
【００２５】
このような本実施形態２の展示パネル６０によれば、展示シート４１を交換する場合には、Ｉ型枠体２０Ｂとコ字型枠体２０Ａとを両手で持ち、Ｉ型枠体２０Ｂをコ字型枠体２０Ａから引き離すように引っ張れば、Ｉ型枠体２０Ｂを永久磁石８０の磁気吸引力に反してコ字型枠体２０Ａから容易に外すことができる。このため、ネジ４５を使用した上記実施形態１よりも展示シート４１の交換作業がより簡単になる。
＜他の実施形態＞
【００２６】
本発明は上記記述及び図面によって説明した実施形態に限定されるものではなく、例えば次のような実施形態も本発明の技術的範囲に含まれる。
【００２７】
（１）上記実施形態では片面表示の構成としたが、支持パネル４０の両面に展示シート４１と保護シート４２を配し、両面表示としてもよい。
【００２８】
（２）上記実施形態では、コーナー部材３０，７０は縦枠１１および横枠２１のうち一方の枠に対してのみ着脱可能な構成としたが、これに限らず、両方の枠に対して着脱可能な構成としてもよい。また、枠体２０の１辺だけを着脱可能な構成としてもよい。
【００２９】
（３）上記実施形態では、枠体２０の短尺側を縦枠１１、長尺側を横枠２１として説明したが、逆でもよい。
【００３０】
（４）上記実施形態では、一対の保持片部１３，１３，２３，２３を円柱状部１２，２２の外周に立設する構成としたが、円柱状部１２，２２の内側に入り込むように設けたり、外側と内側の両方に渡るように設ける構成としてもよい。
【００３１】
（５）上記実施形態では、縦枠１１および横枠２１とコーナー部材３０との連結部位において、コーナー部材３０に設けた嵌合筒３３，３６を枠体２０の円柱状部１２，２２内に嵌合させる構成としたが、嵌合筒３３，３６に限らず例えば板状の嵌合片としてもよく、要は、縦枠１１および横枠２１とコーナー部材３０とを固定できる構成であれば、どのような形態でもよい。
【００３２】
（６）上記実施形態１では、Ｃ型の取付部材５２を有する吸盤アタッチメント５０と連結アタッチメント５６を利用する場合を示したが、その他にも、必要に応じて様々な種類のアタッチメントを使用することができる。例えば、図１８および図１９はペーパークリップアタッチメント８０とその使用例であり、このものは、上述した本発明の展示パネル１０の枠体２０に着脱可能な取付部材５２の開口部５２Ａの反対側の背面に、外側に向けて一対の板状のクリップ８１を設けたものである。このものは、例えば枠体２０の下端に取り付けることにより、展示パネル１０の下方にメッセージカード等のシート８２をぶら下げることができる。
また、図２０および図２１は、吊り下げフックアタッチメント８５とその使用例であり、上記と同様の取付部材５２の背面に、一部が開放可能なＤ型のフック８６を取り付けたものである。この吊り下げフックアタッチメント８５は可撓性の合成樹脂材料からなり、フック８６の内側に支持棒８７や紐等を通す際には、フック８６を撓ませて開放できる。このものは、展示パネル１０を支持棒や紐等に吊り下げる際に使用するのに適している。
さらに、図２２および図２３はマグネットアタッチメント９０とその使用例を示すものである。このマグネットアタッチメント９０は、上記実施形態１の吸盤５１の代わりに円柱状のマグネット９１を取付部材５２に連結したものであり、連結構造は上記吸盤アタッチメント５０と同じであるため説明は省略する。このものは、スチール家具等の磁性体に使用することができる。
また、図示はしないが、各実施形態に示した取付部材５２を備えたライトアタッチメントを準備しておけば、ポスター面の照明に利用することができる。
【符号の説明】
【００３３】
１０、６０…展示パネル
１１…縦枠
１２、２２…円柱状部
１３、２３…保持片部
１４、２４…ネジ螺合部
２０…枠体
２０Ａ…コ字型枠体
２０Ｂ…Ｉ型枠体
２１…横枠
３０、７０…コーナー部材
３２…保持片部
３３…第１の嵌合筒
３４…案内壁
３５、３７…逃がし溝
３６…第２の嵌合部
３８…ネジ挿通孔
４０…支持パネル
４１…ポスター（展示シート）
４２…保護シート
５０…吸盤アタッチメント
５２…取付部材
【図１】
2011221049.tif 000003
【図２】
2011221049.tif 000004
【図３】
2011221049.tif 000005
【図４】
2011221049.tif 000006
【図５】
2011221049.tif 000007
【図６】
2011221049.tif 000008
【図７】
2011221049.tif 000009
【図８】
2011221049.tif 000010
【図９】
2011221049.tif 000011
【図１０】
2011221049.tif 000012
【図１１】
2011221049.tif 000013
【図１２】
2011221049.tif 000014
【図１３】
2011221049.tif 000015
【図１４】
2011221049.tif 000016
【図１５】
2011221049.tif 000017
【図１６】
2011221049.tif 000018
【図１７】
2011221049.tif 000019
【図１８】
2011221049.tif 000020
【図１９】
2011221049.tif 000021
【図２０】
2011221049.tif 000022
【図２１】
2011221049.tif 000023
【図２２】
2011221049.tif 000024
【図２３】
2011221049.tif 000025